(57)【特許請求の範囲】
【請求項１】
遊技盤の盤面に形成される遊技領域に至る遊技球打出し路ないし遊技領域を区画する隔壁の壁面に沿って配設されるレール部材の取付構造であって、前記盤面と略平行にスライド移動可能に前記隔壁側に取付具を設け、前記取付具には、前記取付具の一方向へのスライド移動に伴って前記レール部材のレール面に対向して前記レール部材を前記壁面との間で挟んで前記壁面に沿って前記レール部材を位置決めする挟持部を形成し、前記隔壁側には、前記取付具をスライド移動可能に収容する収容部を設けて、前記収容部に、前記取付具の前記一方向へのスライド移動端で前記取付具に係合して前記取付具の他方向へのスライド移動を規制する係合部と、前記取付具の前記一方向へのスライド移動に伴って前記取付具に対向して前記収容部からの前記取付具の浮き上がりを規制する対面部とを形成したことを特徴とする遊技機のレール部材の取付構造。 
【請求項２】
前記収容部には、前記対面部としての第１対面部と第２対面部とを形成し、前記取付具には、前記盤面と略平行な平板状の頭部と、前記頭部と略直交する連結部と、 
前記連結部に略直交し、前記頭部とは反対方向に延びる一対の脚部と、前記一対の脚部の間において脚部と同方向に延びる延出部とを形成し、前記一対の脚部は前記連結部に続くその基端を支点として弾性変形可能であり、前記一対の脚部の先端には、前記係合部と係合する被係合部を形成し、前記一対の脚部の基端には、前記第１対面部と対向する第１被対面部を形成し、 前記延出部の先端には、前記第２対面部と対向する第２被対面部を形成し、 前記頭部の先端には、前記挟持部を形成したことを特徴とする請求項１に記載の遊技機のレール部材の取付構造。
【発明の詳細な説明】
【技術分野】
【０００１】
本発明は遊技機のレール部材の取付構造に関し、特に、遊技領域に至る遊技球打出し路ないし遊技領域を区画する隔壁の壁面に沿って配設されるレール部材を、位置ずれを生じることなく簡易且つ確実に取り付けることができる取付構造に関する。
【背景技術】
【０００２】
特許文献１には、略Ｃ字断面に形成されて誘導レール（レール部材）を係止する支持部材を有するレール支持具（取付具）が示されており、このレール支持具を誘導レールに摺動可能に取り付けた後、遊技盤飾り枠に形成された嵌合凹部に上記レール支持具を嵌合することによって誘導レールを飾り枠のレール装着面に位置決めしている。
【先行技術文献】
【特許文献】
【０００３】
【特許文献１】特開平５−３００９６５
【発明の概要】
【発明が解決しようとする課題】
【０００４】
しかし、特許文献１に示された取付具では、予めレール部材に複数の取付具を装着し、レール部材を開口の湾曲に沿って変形させつつ、複数の取付具をほぼ同時に嵌合凹部に嵌合させる必要があるため作業に習熟を要しかつ手間取るという問題がある。加えて、取付具や嵌合凹部の製作誤差によって嵌合時にガタを生じるとレール部材がレール装着面に確実に位置決めされず、一方、取付具に対して嵌合凹部を隙無く精密に形成すると取付具の嵌合に難渋するという問題があった。
【０００５】
そこで、本発明はこのような課題を解決するもので、遊技領域に至る遊技球打出し路ないし遊技領域を区画する隔壁の壁面に沿って、レール部材を作業性良くしかも確実に位置決めすることができる遊技機のレール部材の取付構造を提供することを目的とする。
【課題を解決するための手段】
【０００６】
上記目的を達成するために、本第１発明では、遊技盤（２）の盤面（２ａ）に形成される遊技領域（Ｒ）に至る遊技球打出し路（Ｐ）ないし遊技領域（Ｒ）を区画する隔壁（１３）の壁面（１３ａ）に沿って配設されるレール部材（３）の取付構造であって、前記盤面（２ａ）と略平行にスライド移動可能に前記隔壁（１３）側に取付具（４）を設け、前記取付具（４）には、前記取付具（４）の一方向へのスライド移動に伴って前記レール部材（３）のレール面に対向して前記レール部材（３）を前記壁面（１３ａ）との間で挟んで前記壁面（１３ａ）に沿って前記レール部材（３）を位置決めする挟持部（４１１）を形成し、前記隔壁（１３）側には、前記取付具（４）をスライド移動可能に収容する収容部（５）を設けて、前記収容部（５）に、前記取付具（４）の前記一方向へのスライド移動端で前記取付具（４）に係合して前記取付具（４）の他方向へのスライド移動を規制する係合部（５４）と、前記取付具（４）の前記一方向へのスライド移動に伴って前記取付具（４）に対向して前記収容部（５）からの前記取付具（４）の浮き上がりを規制する対面部（５２，５３）とを形成する。 
【０００７】
本第１発明においては、取付具を遊技盤の盤面と略平行にスライド移動させてその挟持部をレール面（遊技球が通過する側の面）に対向させ、レール部材を壁面との間で挟んで壁面に沿って位置決めしているから、従来の取付構造のように、レール部材に複数の取付具を予め装着してこれらをほぼ同時に嵌合凹部に嵌合させる等の必要がなく、取付具で順次レール部材の各部を位置決めすればよいから作業が簡単で手間を要さない。また、多少の製作誤差があっても取付具のスライド移動によって確実にレール部材を壁面との間で挟んで壁面に装着することができる。また、収容部を設けたことによって、別体の取付具を隔壁側に容易に後付けすることができる。さらに、収容部に係合部を形成したことによって隔壁へのレール部材の位置決めをワンタッチで行なうことができる。また、収容部に対面部を形成したことによって、取付具のスライド移動に伴って対面部が取付具に対向して、収容部からの取付具の浮き上がりを規制し、取付具は盤面と略平行に安定した状態でスライド移動する。取付具を収容部に装着した後は、係合部や対面部によって取付具が収容部から離脱することが規制され、レール部材の無用な外れを防止できる。
【０００８】
本第２発明では、前記収容部（５）には、前記対面部としての第１対面部（５２）と第２対面部（５３）とを形成し、前記取付具（４）には、前記盤面（２ａ）と略平行な平板状の頭部（４１）と、前記頭部（４１）と略直交する連結部（４３）と、前記連結部（４３）に略直交し、前記頭部（４１）とは反対方向に延びる一対の脚部（４２１，４２２）と、前記一対の脚部（４２１，４２２）の間において脚部（４２１，４２２）と同方向に延びる延出部（４９）とを形成し、前記一対の脚部（４２１，４２２）は前記連結部（４３）に続くその基端を支点として弾性変形可能であり、前記一対の脚部（４２１，４２２）の先端には、前記係合部（５４）と係合する被係合部（４５）を形成し、前記一対の脚部（４２１，４２２）の基端には、前記第１対面部（５２）と対向する第１被対面部（４６）を形成し、前記延出部（４９）の先端には、前記第２対面部（５３）と対向する第２被対面部（４７）を形成し、前記頭部（４１）の先端には、前記挟持部（４１１）を形成する。
【０００９】
本第２発明においては、取付具と収容部とを三角形状の頂点位置３ヶ所で対向させているので、 取付具が収容部に安定した状態で装着され、レール部材の無用な外れを防止できる。また、脚部は弾性変形可能であるから、収容部に形成された係合部に対して脚部先端の被係合部を容易に係合装着させることができる。
【００１０】
上記カッコ内の符号は、後述する実施形態に記載の具体的手段との対応関係を示すものである。
【発明の効果】
【００１１】
以上のように、本発明の遊技機のレール部材の取付構造によれば、遊技領域に至る遊技球打出し路ないし遊技領域を区画する隔壁の壁面に沿って、レール部材を作業性良くしかも確実に位置決めすることができる。
【図面の簡単な説明】
【００１２】
【図１】本発明の一実施形態を示す、遊技機の本体枠の正面図である。
【図２】遊技盤を取り去った状態での本体枠の裏面図である。
【図３】本体枠裏面に形成された収容部の拡大斜視図である。
【図４】取付具の全体斜視図である。
【図５】外レールを配置した状態での本体枠裏面に形成された収容部の拡大斜視図である。
【図６】取付具の装着行程を示す、本体枠裏面に形成された収容部の拡大斜視図である。
【図７】取付具を装着した状態を示す、本体枠裏面に形成された収容部の拡大斜視図である。
【図８】取付具を収容部内に装着した状態を示す断面図である。
【図９】取付具の他の例を示す、下方から見た全体斜視図である。
【発明を実施するための形態】
【００１３】
図１には遊技機の本体枠１の正面図を示す。本体枠１には上半の大部分に開口１１が形成され、当該開口１１は本体枠１の裏面側からこれに装着された遊技盤２によって閉鎖されている。なお、図１では遊技盤２の盤面２ａに設けられた表示器や役物等の部材は図示を省略してある。盤面２ａには上方が開口する略Ｕ字形状の内レール部材１２が設置されており、内レール部材１２と開口１１の左側と上側の内周面とで遊技球打出し路Ｐと遊技領域Ｒが区画形成されている。そして、開口１１の左側と上側の内周面に沿って、以下に詳述する構造によってレール部材としての外レール３（図２参照）が取り付けられている。なお、遊技球打出し路Ｐと遊技領域Ｒとの境界には、遊技領域Ｒに打ち出された遊技球が遊技球打出し路Ｐに戻ることを防止する戻り球防止弁１４が設けられている。また、本体枠１の前面左下には遊技球発射装置８１が設けられている。さらに、内レール部材１２の右下部に証紙１５を貼るスペースが設けられている。
【００１４】
図２には遊技盤２（図１参照）を取り去った状態での本体枠１の裏面図を示す。図２において、開口１１の円弧状に湾曲した上縁内周およびこれに続く右側縁内周に沿って隔壁１３が形成されている。そして、隔壁１３に沿った開口１１上縁の本体枠１裏面の、間隔をおいた４箇所に、外レール３を保持する後述の取付具４を収容するための収容部５が形成されている。収容部５のうち１箇所は、戻り球防止弁１４（図1参照）付近に形成されている。外レール３における戻り球防止弁１４付近は、遊技球発射装置８１から発射された遊技球が接触する所であるため、この付近の外レール３が確実に位置決めされることによって、遊技領域Ｒに打出される遊技球の軌跡に悪影響を与えない。
【００１５】
図３には、本体枠１の裏面に形成された収容部５の拡大斜視図を示す。なお、以下、図３、図５〜図８では、本体枠１の正面に対して奥行き（前後）方向（つまり、遊技盤２の盤面２ａに対して略直交する方向）を 「Ａ方向」とし、遊技盤２の盤面２ａに対して略平行な方向であり、かつ、本体枠１の正面視における壁面１３ａに対して略直交する方向を「Ｂ方向」とし、 遊技盤２の盤面２ａに対して略平行な方向であり、かつ、「Ｂ方向」に対して略直交する方向を「Ｃ方向」とする。本体枠１の隔壁１３は収容部５を形成した個所でその後半部（Ａ方向における後側方向）が切り欠かれて、ここに収容部５の底面５ａが開放している。収容部５は隔壁１３の切欠き１３１に向けて略コ字形に周囲を囲む外壁５１を有しており、外壁５１の両側壁部５１１，５１２の対向位置には、底面５ａから一定間隔をおいた上方位置に、対面部を構成する壁状の第１対面部５２が収容部５内に向けて底面５ａと略平行に突出形成されている。また、外壁５１の端壁部５１３には、底面５ａから一定間隔をおいた上方位置に対面部を構成する壁状の第２対面部５３が収容部５内に向けて底面５ａと略平行に突出形成されている。このような各対面部５２，５３の下方には底面５ａとの間に挿入空間Ｓが形成されている。なお、対面部５２、５３の下面（底面５ａ側の面）における開口１１方向（Ｂ方向における内側方向）には、傾斜面５２ａ、５３ａが形成されている。
【００１６】
収容部５の外壁５１の、左右の側壁部５１１，５１２には第２対面部５３寄りに壁状の係合部５４がそれぞれ収容部５の内方へ向けて突出形成されている。これら係合部５４は収容部５の底面５ａから立ち上がって両側壁部５１１，５１２の頂面に至っており、係合部５４の開口１１方向（Ｂ方向における内側方向）へ向く側面は一部が面取りされて傾斜するガイド面５４ａとなっている。一方、係合部５４の開口１１方向（Ｂ方向における内側方向）とは反対側の側面は側壁部５１１，５１２に略直交する係止面５４ｂとなっている。また、収容部５の底面５ａには開口１１寄りの中央位置に矩形柱状のガイド部５５が突出形成されている。なお、隔壁１３の前縁部（Ａ方向における前側方向）にはこれに沿って受け溝１３２が形成されている。
【００１７】
図４には取付具４の全体斜視図を示す。取付具４は樹脂の一体成形品で、平板状の頭部４１と、頭部４１と略直交する連結部４３と、連結部４３に略直交し、頭部４１とは反対方向に延びる一対の脚部４２１、４２２と、一対の脚部の間において脚部４２１、４２２と同方向に延びる延出部４９とで構成されている。上記頭部４１には端部に沿ってその下面に、挟持部としての楔断面の挟持突起４１１が形成されている。
【００１８】
脚部４２１，４２２は連結部４３に続くその基端を支点として左右方向（Ｃ方向）（図６、図７参照）へ弾性的に湾曲変形可能となっている。脚部４２１，４２２の先端には上方へ突出する把持部４４が形成されるとともに外方へ被係合部４５が突出形成されている。被係合部４５は脚部４２１，４２２の先端方向へ傾斜するガイド面４５ａと脚部４２１，４２２側面に略直交する係止面４５ｂとを備える略三角状に形成されている。また、各脚部４２１，４２２の基端外方位置には矩形平板状の第１被対面部４６が突出形成されている。
【００１９】
取付具４の延出部４９の先端には、幅広板状の第２被対面部４７が形成されており、延出部４９の基端側の板面には上記収容部５のガイド部５５（図３参照）の幅よりやや大きい幅の長孔４８が脚部４２１，４２２に略平行に形成されている。なお、第１および第２被対面部４６，４７の先端上面は先端方向へ傾斜する案内面４６ａ，４７ａとなっている
【００２０】
このような取付具４を使用して外レール３を本体枠１の開口１１内周縁に取り付ける場合には以下の手順で行なう。すなわち、金属製の外レール３を開口１１の湾曲に沿って湾曲させつつその前縁部（Ａ方向における前側方向）を、図５に示すように、隔壁１３の前縁（Ａ方向における前側方向）に沿って形成された受け溝１３２内に挿入する。なお、外レール３の後縁部（Ａ方向における後側方向）には収容部５に対応する位置に切欠き３１が形成されており、外レール３を受け溝１３２に挿入する際の目安となっている。
【００２１】
続いて、図６に示すように、取付具４を収容部５の底面５ａに対して略直交する後方（Ａ方向における後側方向）から収容部５内へ配置する。この配置時に、取付具４の第１被対面部４６（図４参照）は収容部５の第１対面部５２と外レール３の裏面（遊技球が通過しない側の面）との間に、被係合部４５は第１対面部５２と係合部５４の間にそれぞれ配置され、収容部５の底面５ａに形成されたガイド部５５が取付具４の長孔４８内に配置されるとともに、取付具４の第２被対面部４７はガイド部５５と第２対面部５３の間に配置される。この状態で、取付具４は長孔４８内に位置するガイド部５５と左右の側壁部５１１，５１２によって収容部５内で左右方向（Ｃ方向）に振れることが規制されて、隔壁１３の壁面１３ａに対し略直交する方向（Ｂ方向）へのみ収容部５内でスライド移動可能となる。この際、取付具４の頭部４１は外レール３の切欠き３１に近接した上方に位置し、頭部４１の挟持突起４１１は外レール３のレール面（遊技球が通過する側の面）から内方（Ｂ方向における内側方向）へ離れて位置している。
【００２２】
この状態から、取付具４を隔壁１３に対しその外方（Ｂ方向における外側方向）へ押しやると、取付具４が同方向へスライド移動する。第１および第２対面部５２，５３には案内面５２ａ，５３ａ、第１および第２被対面部４６，４７には案内面４６ａ，４７ａが形成されていることにより、第１および第２対面部５２，５３下方の挿入空間Ｓへの進入が円滑になされる。 取付具４のスライド移動に伴って、第１および第２被対面部４６，４７が第１および第２対面部５２，５３と対向するので、取付具４の浮き上がり（Ａ方向における後側方向への移動）が規制される。また、取付具４の頭部４１が外レール３の切欠き３１に対向しているので、外レール３の浮き上がり（Ａ方向における後側方向への移動）が規制される。
【００２３】
そして、取付具４の脚部４２１，４２２が湾曲変形して、ガイド面４５ａがガイド面５４ａを滑って被係合部４５が係合部５４を乗り越えてその背後に至り、被係合部４５の係止面４５ｂと係合部５４の係止面５４ｂが係合する。この状態（図７）が取付具４のスライド移動端となり、取付具４の内方（Ｂ方向における内側方向）への戻りスライド移動も規制される。このようにして、取付具４が収容部５内から離脱することが規制され、レール部材の無用な外れを防止できる。 この状態で、挟持突起４１１が外レール３の後縁部（Ａ方向における後側方向）のレール面に対向して、図８に示すように、外レール３を隔壁１３の壁面１３ａとの間で挟んで壁面１３ａに沿って外レール３を位置決めすることができる。このように、被係合部４５の係止面４５ｂと係合部５４の係止面５４ｂが係合するより前に、第１および第２被対面部４６，４７の一部が第１および第２対面部５２，５３の一部と対向している（つまり、第１および第２被対面部４６，４７と第１および第２対面部５２，５３との対向が始まっている）ため、取付具４は浮き上がる（Ａ方向における後側方向へ移動する）ことなく、盤面２ａと略平行（Ｂ方向）にスライド移動可能となる。よって、取付具４には外方（Ｂ方向における外側方向）へのみ力を加えるという容易な動作だけで、外レール３を挟持突起４１１と隔壁１３の壁面１３ａとの間に確実に挟むことができる。 
【００２４】
また、以上の構造により、外レール３が外れる可能性のある方向に対応すべく、取付具４と収容部５とは三角形状の頂点位置３ヶ所で対向させている。 詳しくは外レール３が盤面２ａ側（Ａ方向における後側方向）に向かって移動する（外れる）場合は、外レール３が取付具４の頭部４１を盤面２ａ側（Ａ方向における後側方向）に押し出そうとするが、２箇所の第１対面部５２と第１被対面部４６との対向が特に有効に働くことによって取付具４の移動が規制される。外レール３が前縁部（Ａ方向における前側方向）を支点として開口１１方向（Ｂ方向における内側方向）に倒れる（外れる）場合は、外レール３が取付具４の挟持突起４１１を開口１１方向（Ｂ方向における内側方向）に押し出すことによって、取付具４が連結部４３の下方（収容部５の底面５ａに当接する部分）を支点として回動しようとするが、第２対面部５３と第２被対面部４７との対向が特に有効に働くことによって取付具４の移動が規制される。 このように、３ヶ所の対向がそれぞれ有効に働くことによって、取付具３が収容部５に安定した状態で装着され、外レール３の無用な外れが防止される。 また、脚部４２１，４２２は弾性変形可能であるから、収容部５に形成された係合部５４に対して脚部４２１，４２２先端の被係合部４５を容易に係合装着させることができる。さらに、外レール３における遊技球発射装置８１（図１参照）に近い端部３２（図２参照）を本体枠１にネジ止めし、他端部を返しゴム３３（図１参照）で覆うことによっても、外レール３の無用な外れを防止できる。
【００２５】
外レール３を取り替える必要がある場合等には取付具４の脚部４２１，４２２先端の把持部４４を掴んで、先端を互いに接近させる方向へ脚部４２１，４２２を湾曲変形させると、被係合部４５の係止面４５ｂと係合部５４の係止面５４ｂとの係合が解消される。そこで、取付具４を内方（Ｂ方向における内側方向）へ戻りスライド移動させると、第１及び第２被対面部４６，４７と第１および第２対面部５２，５３の対向が解消されるから、取付具４を収容部５外へ離脱させることができる。これにより外レール３の取り外しが可能となる。
【００２６】
（取付具の他の例）
図９には取付具４の他の例を示す。本例では取付具４の把持部４４を上方へ大きく突出させるとともに、厚みを持たせている。これにより、把持部４４の操作性が向上する。この場合、突出させた把持部４４が盤面２ａに当接しないように、収容部５を盤面２ａと逆方向（Ａ方向における前側方向）に移動配置する必要がある。また、被係合部４５の底面側部に傾斜面４５１を形成することによって、取付具４の戻りスライド移動を容易にしている。傾斜面４５１を形成しない場合は、把持部４４を掴んだときに、底面側部が係合壁５４に引っ掛かって、 戻りスライド移動が円滑に行われない可能性がある。
【００２７】
上記実施形態では取付具４を本体枠１の裏面に隠れるように設けているから見栄えが良い。加えて、本体枠１の開口１１の内周面に外レール３を取り付けて遊技盤２を本体枠１の裏面側から装着する構造であり、外レール３を設置する部材を別途設ける必要がないので、遊技盤２を本体枠１の前面側から装着する構造に比して、遊技領域Ｒを拡大することができる。そして、取付具４が本体枠１と遊技盤２との間に封止されるように配置されることによって、取付具４がより確実に固定される。また、本体枠１に遊技球発射装置８１と外レール３とを一体的に設けているので、別々の部材に設けた場合に比して、遊技球発射装置８１と外レール３の位置調整がしやすくなり、遊技球の発射が安定する。さらに、本体枠１を平置きでも縦置きでも取付具４を装着することができるため、製造時には作業しやすい 置き方を選択できる。また、遊技機をホールに設置後（縦置きの状態）にレール部材３を交換する場合にも作業性が良い。上記実施形態では、取付具４を収容部５の底面５ａに対して略直交する後方（Ａ方向における後側方向）から配置した後、盤面２ａと略平行（Ｂ方向における外側方向）にスライド移動させて装着している。これは、本体枠１の裏面側（取付具４を装着する側、Ａ方向における後側方向）に遊技盤２を装着することから、取付具４や収容部５が遊技盤２の設置面（盤面２ａ）よりも遊技盤２側に飛び出ることがない構造にしているためである。
【００２８】
（他の実施形態）
上記実施形態では外レール３の後縁部（Ａ方向における後側方向）のみを取付具４で隔壁１３に位置決めしたが、外レール３の前縁部（Ａ方向における前側方向）も取付具４を使用して隔壁１３に位置決めするようにしても良い。その場合、本体枠１の正面視において取付具４の位置が重ならないように、取付具４を外レール３の後縁部と前縁部とに交互に配置することによって、外レール３をより確実に位置決めすることができる。また、上記実施形態では内レール部材１２を設けてその内周面を内レール面としたが、内レール部材１２とは別体の金属製の内レールを、本発明の取付具４を使用して内レール部材の隔壁に取り付ける構造としても良い。
【００２９】
上記実施形態では、本体枠１の正面視において取付具４を壁面１３ａに対して略直交する方向に向けて装着しているが、この形態に限らず、取付具４を斜め移動させて装着する構造や、回動移動させて装着する構造でも良く、取付具４のスライド移動方向が、遊技盤２の盤面２ａと略平行になればよい。上記実施形態では、取付具４を収容部５の底面５ａに対して略直交する後方から配置した後、盤面２ａと略平行にスライド移動させて装着しているが、取付具４をスライド移動のみで収容部５に装着する構造にすることもできる。その場合は、遊技盤２における取付具４や収容部５が当接する部分を削ればよい。
【符号の説明】
【００３０】
１…本体枠、１３…隔壁、１３ａ…壁面、２…遊技盤、２ａ…盤面、３…外レール（レール部材）、４…取付具、４１…頭部、４１１…挟持部、４２１，４２２…脚部、４３…連結部、４５…被係合部、４６…第１被対面部、４７…第２被対面部、４９…延出部、５…収容部、５２…第１対面部、５３…第２対面部、５４…係合部、Ｐ…遊技球打出し路、Ｒ…遊技領域。
【図１】
0005506598.tif 000002
【図２】
0005506598.tif 000003
【図３】
0005506598.tif 000004
【図４】
0005506598.tif 000005
【図５】
0005506598.tif 000006
【図６】
0005506598.tif 000007
【図７】
0005506598.tif 000008
【図８】
0005506598.tif 000009
【図９】
0005506598.tif 000010